(57)【要約】【課題】建築途上にある複数階の建物の下方の階から上方の階への荷の搬送効率の向上に資する揚重装置を提供すること。【解決手段】揚重装置は、建物の上方の階に設置される第1のスタンド(18)に互いに間隔をおいてかつ独立して回転可能に支持された一対のヘッドプーリ(20)と、下方の階に設置される第２のスタンド(22)に回転可能に支持された一対のテールプーリ(24)と、建物の各階に設けられた仮の開口(16)に通される搬送具(26)とを備える。搬送具は、両ヘッドプーリ及び両テールプーリに掛けられた一対の無端の索状物(78)及び両索状物に互いに平行に取り付けられた複数の桟棒(80)を有する。荷受台は、搬送具の任意の桟棒に引掛け可能であり、両ヘッドプーリ間及び前記仮の開口を通過可能である大きさを有する。【選択図】図２
2018154985.tif 000002
【特許請求の範囲】
【請求項１】
建築途上にある、複数の階を有する建物に適用される揚重装置であって、
前記建物の上方の階に設置される第1のスタンドに互いに間隔をおいてかつ独立して回転可能に支持された一対のヘッドプーリと、
前記建物の下方の階に設置される第２のスタンドに回転可能に支持された一対のテールプーリと、
両ヘッドプーリ及び両テールプーリに掛けられた一対の無端の索状物及び両索状物に互いに平行に取り付けられた複数の桟棒を有する搬送具であって前記建物の各階に設けられた仮の開口に通される搬送具と、
前記搬送具の任意の桟棒に引掛け可能である複数の荷受台であって両ヘッドプーリ間及び前記仮の開口を通過可能である大きさを有する、揚重装置。
【請求項２】
さらに、前記第１のスタンドに支持された、両ヘッドプーリを回転駆動するための駆動機構を含む、請求項１に記載の揚重装置。
【請求項３】
さらに、前記第１のスタンドに設けられた、両テールプーリから外された前記搬送具の一部を一時的に格納するための格納具を含む、請求項１又は２に記載の揚重装置。
【請求項４】
前記第１のスタンドは複数の車輪を有する、請求項１〜３のいずれか１項に記載の揚重装置。
【請求項５】
前記荷受台は、背板と、該背板に互いに間隔をおいて取り付けられた一対のフックと、前記背板に枢着された荷受板と、前記背板にそれぞれ枢着された一対の側板と、前記背板に上下動可能に支持された一対の棒体であって前記搬送具の桟棒に当接可能である一対の棒体とを備える、請求項１〜４のいずれか１項に記載の揚重装置。
【発明の詳細な説明】
【技術分野】
【０００１】
本発明は、建築途上にある複数階の建物に適用される揚重装置に関する。
【背景技術】
【０００２】
従来、複数階を有する建物の構築のために下方の階から上方の階へと建築資材等からなる荷を搬送する揚重装置が提案されている。この揚重装置は、建物の吹き抜けに配置された立体フレームと、立体フレーム内に昇降可能に配置された昇降ステージとを備える（後記特許文献１参照）。これによれば、下方の階で昇降ステージに積み込まれた荷を、立体フレームを通して、上方の階へ搬送することができる。
【０００３】
ところで、前記従来の揚重装置にあっては、下方の階から上方の階への荷の搬送を複数回にわたって行う際、荷を運んだ後の空の昇降ステージが上方の階から下降し、下方の階に到着するのを待って行う必要があり、このことが、上方の階への荷の迅速な搬送を阻害する要因となっている。
【先行技術文献】
【特許文献】
【０００４】
【特許文献１】特開２００７−４６３６０号公報
【発明の概要】
【発明が解決しようとする課題】
【０００５】
本発明の目的は、前記従来の事情に鑑み、建築途上にある複数階の建物の下方の階から上方の階への荷の搬送効率の向上に資する揚重装置を提供することにある。
【課題を解決するための手段】
【０００６】
本発明は、建築途上にある、複数の階を有する建物に適用される揚重装置に係る。揚重装置は、前記建物の上方の階に設置される第1のスタンドに互いに間隔をおいてかつ独立して回転可能に支持された一対のヘッドプーリと、前記建物の下方の階に設置される第２のスタンドに回転可能に支持された一対のテールプーリと、両ヘッドプーリ及び両テールプーリに掛けられた一対の無端の索状物及び両索状物に互いに平行に取り付けられた複数の桟棒を有する搬送具であって前記建物の各階に設けられた仮の開口に通される搬送具と、前記搬送具の任意の桟棒に引掛け可能である複数の荷受台であって両ヘッドプーリ間及び前記仮の開口を通過可能である大きさを有する。
【０００７】
本発明によれば、建物の上方の階に設置された第１のスタンドに支持された一対のヘッドプーリと下方の階に設置された第２のスタンドに支持された一対のテールプーリとに掛けられ、各階の仮の開口を経て環状に伸びる搬送具の両索状物を回転させることにより、前記搬送具の任意の桟棒に引掛けられた複数の荷受台を下方の階から上方の階へ、また、上方の階から下方の階へと循環移動させることができる。前記搬送具の両索状物の回転は、両ヘッドプーリを回転駆動することにより、行うことができる。その結果、複数の荷受台を介して、型枠、支保工、建築資材等からなる荷を比較的短時間のうちにまた比較的大量に、したがってより効率的に搬送することができる。また、本発明にあっては、互いに間隔をおかれた両ヘッドプーリがそれぞれ独立して支持され、また、前記荷受台が両ヘッドプーリ間を通過可能であることから、前記搬送具の桟棒に引掛けられた状態で循環移動する前記荷受台は、これが上昇から下降に転じるとき、前記桟棒に対して揺動し、両ヘッドプーリ相互間を姿勢を維持しながら通過する。
【０００８】
前記揚重装置は、さらに、前記第１のスタンドに支持された、両ヘッドプーリを回転駆動するための駆動機構を含むものとすることができる。
【０００９】
前記揚重装置は、さらに、前記第１のスタンドに設けられた、両テールプーリから外された前記搬送具の一部を一時的に格納するための格納具を含むものとすることができる。これによれば、例えば、両ヘッドプーリを回転駆動することにより前記搬送具を引き上げながら、その一部を手繰り寄せて前記格納具に格納することができる。
【００１０】
前記第１のスタンドはこれが複数の車輪を有するものとすることができる。これによれば、前記搬送具を両ヘッドプーリに掛けかつその一部を前記格納具に格納した状態で前記第１のスタンドをさらに上の階へと走行させて移動することができる。
【００１１】
また、前記荷受台は、背板と、該背板に互いに間隔をおいて取り付けられた一対のフックと、前記背板に枢着された荷受板と、前記背板にそれぞれ枢着された一対の側板と、前記背板に上下動可能に支持された一対の棒体であって前記搬送具の桟棒に当接可能である一対の棒体とを備えるものとすることができる。これによれば、前記荷受台はその両フックにおいて前記搬送具の桟棒に引掛けることができる。また、前記荷受台は、前記荷受板と両側板とを前記背板に対して折り畳み、荷受台を扁平な形態とすることができる。これにより、上方の階から下方の階へと下降される空の荷受台が通過する各階の仮の開口に占める厚さの割合をより小さく、かつ、下方の階から上方の階へと上昇される荷受台が占める厚さの割合をより大きいものとすることができる。その結果、前記荷受台の荷の積み込み容量をより大きいものとすることができる。前記一対の棒体は前記荷が積み込まれた荷受台の前記搬送具の桟棒に対する揺動を阻止し、前記荷受台の姿勢を安定させる働きをなす。
【図面の簡単な説明】
【００１２】
【図１】建築中の建物に適用された揚重装置の概略的な正面図である。但し、前記揚重装置を構成する荷受台について、その図示が省略されている。
【図２】建物及び揚重装置の概略的な縦断面図である。
【図３】建築中の建物の上方の階に設置された、揚重装置の第１のスタンド及びヘッドプーリを示す斜視図である。
【図４】揚重装置の上方の階における第１のスタンド、ヘッドプーリ、搬送具の一部、荷受台を示す斜視図である。
【図５】建築中の建物の下方の階に設置された、揚重装置の第２のスタンド、テールプーリ、搬送具の一部及び荷受台を概略的に示す斜視図である。
【図６】第２のスタンドの一部を示す側面図である。
【図７】建築中の建物の上方の階及び下方の階間を上昇中の荷受台及び下降中の荷受台を示す概略的な斜視図である。
【図８】荷受台の斜視図である。
【図９】折り畳まれた状態にある荷受台の斜視図である。
【図１０】格納具が設けられた第１のスタンドの斜視図である。
【発明を実施するための形態】
【００１３】
図１及び図２を参照すると、建築途上にある建物１０に適用された本発明の一実施形態に係る揚重装置が全体に符号１２で示されている。
【００１４】
建物１０は複数の階１４、より正確には複数の階をそれぞれ規定する複数の床スラブを有する。以下、必要に応じて、前記床スラブに符号１４を付することがある。各階１４の床スラブには仮の開口１６が設けられている。図示の開口１６は矩形状を呈し、矩形の四辺である一対の長辺及び一対の短辺に沿ってそれぞれ伸びる一対の長縁及び一対の短縁を有する。
【００１５】
揚重装置１２は、建物１０の上方の階（便宜上、これに符号１４ａを付す。）に設置された第１のスタンド１８に回転可能に支持された一対のヘッドプーリ２０と、下方の階（便宜上、これに符号１４ｂを付す。）に設置された第２のスタンド２２に回転可能に支持された一対のテールプーリ２４と、搬送具２６と、複数の荷受台２８（図２）とを含む。搬送具２６は上方の階１４ａの開口１６と、上下両階１４ａ、１４ｂ間の１又は複数の他の階１４の開口１６とを経て鉛直に伸びている。建物１０の構築に用いられる型枠、該型枠を支持するための支保工、建築資材等からなる荷（図示せず）は、下方の階１４ａにおいて荷受台２８に積み込まれ、前記荷が積み込まれた荷受台２８は、搬送具２６を介して、各階１４の開口１６を通して、上方の階１４ａへと搬送される。
【００１６】
図３及び図４に示すように、第１のスタンド１８は、互いに間隔をおいて配置され互いに相対する一対の脚３０を有し、両脚３０は連結部材３２を介して互いに連結されている。図上、両脚３０は、それぞれ、上方の階の床スラブ１４ａ上に載置され開口１６の両短縁の側方に位置し、また、連結部材３２は開口１６の両長縁の一方の側方に位置する。
【００１７】
一対のヘッドプーリ２０は、一対の脚３０の間に互いに間隔をおいて配置され、かつ、両脚３０にその上端部３０ａにおいて、独立して個々に回転可能に支持されている。したがって、両ヘッドプーリ２０相互間には間隙又は空間が存する。図示の例において、各ヘッドプーリ２０は二段プーリからなり、一段目の大径のプーリ２０ａ及び二段目の小径のプーリ２０ｂを有する（図３）。
【００１８】
第１のスタンド１８は、好ましくは、両ヘッドプーリ２０を回転駆動するための駆動機構３４を備える。図示の駆動機構３４は、第１のスタンド１８の両脚３０の上端部３０ａに回転可能に支持され両上端部３０ａを貫通する軸３６と、両上端部３０ａ間に互いに間隔をおいて配置されかつ軸３６に固定された一対のプーリ３８と、一方（図上において左方）の脚３０の上端部３０ａを貫通して突出する軸３６の端部に固定されたプーリ４０と、前記左方の脚３０に支持された電動モータ４２と、該電動モータの回転軸に固定されたプーリ４４とを有する。これらの軸３６及びプーリ３８、４０は、両ヘッドプーリ２０の上方に位置する。
【００１９】
駆動機構３４は、さらに、一対の伝動ベルト４６と、１つの伝動ベルト４８とを有する。各伝動ベルト４６は各ヘッドプーリ２０の小径のプーリ２０ｂと軸３６に固定された各プーリ３８とに掛けられ、また、１つの伝動ベルト４８はプーリ４０とプーリ４４とに掛けられている。この駆動機構３４よれば、電動モータ４２の回転動力がプーリ４４から伝動ベルト４８を介してプーリ４０に伝達され、さらに、プーリ４０が固定された軸３６及び該軸に固定された両プーリ３８に伝達される。次いで、両プーリ３８の回転動力がそれぞれ両伝動ベルト４６を介して両ヘッドプーリ２０の小径のプーリ２０ｂに伝達され、これにより該小径のプーリと共に大径のプーリ２０ａが回転駆動される。
【００２０】
次に、図５及び図６を参照して、下方の階１４ｂに設置された第２のスタンド２２及びこれに支持された一対のテールプーリ２４について説明する。
【００２１】
第２のスタンド２２は、互いに間隔をおいて配置され互いに相対する一対の脚５０を有する。両脚５０は、それぞれ、一対の板状の基部材５２と、両基部材５２に支持された一対の板状の細長部材５４と、二対の板状のＬ形部材５６とを備える。
【００２２】
図上、両基部材５２は、それぞれ、下方の階の床スラブ１４ｂ上に載置され開口１６の両短縁の側方に位置する。両細長部材５４は、それぞれ、これらの一端部（図上の下端部）において基部材５２及び開口１６の両短縁を規定する両側壁１６ａに接している。また、二対のＬ形部材５６は、それぞれ、両細長部材５４の両側にあって、これらの長辺部５６ａが開口１６の四隅を開口１６の上方から開口１６内に伸びている。各Ｌ形部材５６はその長辺部５６ａにおいて各基部材５２と開口１６の側壁１６ａ及び（開口１６の各長縁を規定する）側壁１６ｂとに接している。また、各Ｌ形部材５６は、その短辺部５６ｂにおいて、開口１６を規定する下方の階の床スラブ１４ｂの下面５８に接している。
【００２３】
両テールプーリ２４は、両細長部材５４の他端部（図上の上端部）間に互いに間隔をおいて配置され、これらの上端部に回転可能に支持された軸５７に固定されている。両テールプーリ２４の相互間隔は、両ヘッドプーリ２０の大径のプーリ２０ａの相互間隔と同じである。
【００２４】
図６に示すように、各細長部材５４はその長手方向（図上の上下方向）に互いに間隔をおいて配置され細長部材５４の長手方向へ伸びる２つのスロット６０を有する。各細長部材５４は、両スロット６０をそれぞれ経て基部材５２を貫通する軸部を有する２つのピンボルト６２とこれらのピンボルトの軸部にそれぞれ螺合された２つのナット（図示せず）とを介して、基部材５２に解除可能に固定されている。各細長部材５４は、前記ナットを緩めることにより、基部材５２に対して両スロット６０の伸長方向へ移動させることができる。また、各細長部材５４は両スロット６０の伸長方向における一端部（図上の下端部）にそれぞれ連なる円孔６４を有する。両円孔６４はそれぞれ両ピンボルト６２の頭部の直径より大きい直径を有する。したがって、各細長部材５４を基部材５２に対して相対移動させて両円孔６４を両ピンボルト６２の頭部と整合する位置におくことにより、細長部材５４を基部材５２から分離することができる。
【００２５】
細長部材５４及び基部材５２には、それぞれ、相互に噛み合う、細長部材５４の伸長方向（図上の上下方向）へ伸びるラック６６及びピニオン６８が設けられている。また、基部材５２には、ピニオン６８と共にラチェット機構を構成する歯止め（爪）７０が設けられている。これによれば、ピニオン６８を一方向（図６で見て時計方向）へ回転させることにより、基部材５２に対して相対移動可能の状態におかれた細長部材５４を下方に向けて移動させることができる。また、細長部材５４はピニオン６８に対する歯止め７０の作用により移動後の位置に止め置かれる。なお、移動後の細長部材５４は前記ナットの締め付けにより基部材５２に固定することができる。
【００２６】
基部材５２には横方向（図上の左右方向又は水平方向）へ伸びる２つのスロット（横スロット）７２が前記横方向に互いに間隔をおいて設けられている。また、一対のＬ形部材５６には、これらの長辺部５６ａにこれらの長手方向すなわち縦方向へ伸びる一対のスロット（縦スロット）７４が設けられている。各横スロット７２と各縦スロット７４とは互いに十字形に交差し、これらの交差箇所をボルト７６の軸部が貫通し、該ボルトの軸部にナット（図示せず）が螺合されている。前記ナットの締め付けにより、基部材５２が一対のＬ形部材５６を介して下方の階の床スラブ１４ｂに解除可能に固定される。基部材５２と各Ｌ形部材５６との相対位置は、縦横の両スロット７２、７４の長さの範囲内において、調整することができる。
【００２７】
次に、搬送具２６について説明する。図１に概略的に示すように、搬送具２６は、両ヘッドプーリ２０（具体的には大径のプーリ２０ａ）及び両テールプーリ２４にそれぞれ掛けられた一対の無端の（したがって環状の）索状物７８と、両索状物７８に互いに平行に取り付けられた複数の桟棒８０とを有する。索状物７８は、ロープ、ケーブル、ベルト、鎖等で構成され、柔軟性を有する。両ヘッドプーリ２０及び両テールプーリ２４は、索状物７８を構成するものすなわちその種類に応じて、図示の例におけるような平坦な面を有するもの、あるいは溝を有するもの、スプロケットからなるもの等とすることができる。桟棒８０は例えば棒鋼からなる。桟棒８０の数量及び相互間隔は任意に定めることができる。複数の桟棒８０は、これらが索状物７８とヘッドプーリ２０及びテールプーリ２４との相互接触を阻害しないように、環の外側に配置することが望ましい。また、桟棒８０は、好ましくは、両索状物７８の相互間隔よりわずかに大きい長さ寸法を有する。
【００２８】
両ヘッドプーリ２０及び両テールプーリ２４に掛けられた両索状物７８はそれぞれ緊張状態におかれている。両索状物７８の緊張状態は、両テールプーリ２４を下方に向けて偏倚させることにより得られる。両テールプーリ２４は、第２のスタンド２２の基部材５２に対して細長部材５４を下方へ移動させ、また、移動後の位置を保つことによりの偏倚させることができる。
【００２９】
両索状物７８は両ヘッドプーリ２０を回転駆動することにより、両ヘッドプーリ２０及び両テールプーリ２４の周りに回転する。両索状物７８の回転に伴って複数の桟棒８０がそれぞれ連続的に上昇し、下降する。
【００３０】
図８及び図９に荷受台２８の一例を示す。この荷受台２８は、背板８２と、該背板に互いに間隔をおいて取り付けられた一対のフック８４と、背板８２に枢着された荷受板８６と、背板８２にそれぞれ枢着された一対の側板８８と、背板８２に上下動可能に支持された一対の棒体９０とを備える。荷受台２８は両ヘッドプーリ２０間及び各階１４の開口１６をそれぞれ通過可能である大きさを有する。
【００３１】
図示の背板８２は矩形のフレームであってその開口が矩形板８３で覆われたフレームからなり、前記フレームは一対の短辺部８２ａ及び一対の長辺部８２ｂを有する。背板８２の幅寸法である短辺部８２ａの長さ寸法は荷受台２８の幅寸法を規定し、荷受台２８の前記幅寸法は両ヘッドプーリ２０の相互間隔より小さい。両フック８４は、背板８２の一方（図８において上方）の短辺部８２ａに固定されている。荷受台２８は、両フック８４を介して、搬送具２６の任意の桟棒８０に引掛けることができる。
【００３２】
荷受板８６は、矩形のフレーム９２と該フレームに固定され該フレームの開口を覆う金網９４とからなる。フレーム９２は、背板８２の短辺部８２ａと同長の一対の長辺部９２ａと、一対の短辺部９２ｂとを有する。荷受板８６は、そのフレーム９２の一方の長辺部９２ａにおいて、一対の連結部材９６を介して、背板８２の他方（図８において下方）の短辺部８２ａに枢動可能に連結され、一方の長辺部９２ａは背板８２の下方の短辺部８２ａと平行に伸びている。また、荷受板８６は、一対のブラケット１０２を介して、荷受板８６に対して垂直な状態におかれている（図８）。両ブラケット１０２は、それぞれ、荷受板８６のフレーム９２と、背板８２の両長辺部８２ｂにそれぞれこれらの長手方向へ摺動可能に取り付けられた一対のスライダ９８であって背板８２の両長辺部８２ｂにそれぞれ固定された一対のストッパ１００に接する一対のスライダ９８とに枢着されている。前記荷は、図８に示す状態にある荷受板８６上に積み込むことができる。荷受板８６は、背板８２に向けて枢動させることにより、折り畳み状態にすることができる（図９）。このとき、両ブラケット１０２の揺動と両スライダ９８の上昇とが生じ、両ブラケット１０２はそれぞれ背板８２のフレームの両長辺部８２ｂと平行状態におかれる。
【００３３】
両側板８８はそれぞれ一対の矩形のフレーム１０３を有する。両フレーム１０３は、それぞれ、背板８２の上方の短辺部８２ａの高さ位置からスライダ９８の上方位置まで、背板８２の長辺部８２ｂと平行に伸びる一対の長辺部１０３ａを有する。両フレーム１０３は、これらの一方の長辺部１０３ａにおいて、一対の連結部材１０４を介して、背板８２の両長辺部８２ｂにそれぞれ枢動可能に連結されている。両側板８８は、荷受板８６上の前記荷を保持するため、背板８２に対してこれに直交する状態におかれる（図８）。両側板８８は、背板８２に向けて枢動させることにより、折り畳み状態にすることができる（図９）。
【００３４】
一対の棒体９０はそれぞれ両スライダ９８に固定され、両スライダ９８から荷受板８６の下方の高さ位置まで伸びている（図８）。両棒体９０は、荷受台２８を搬送具２６の一の桟棒８０に引掛けられたとき、該一の桟棒の下方に位置する他の桟棒８０に当接可能である長さ寸法を有する（図７）。他の桟棒８０に対する両棒体９０の当接により、荷受台２８の一の桟棒８０の周りの揺動が阻止される。これにより、荷受台２８の背板８２がほぼ鉛直に垂れ下がり、荷受台２８の傾斜とこれに伴う前記荷のこぼれ落ちとが防止される。両棒体９０は、荷受板８６が折り畳まれ、両ブラケット１０２が揺動し、両スライダ９８が上昇するとき、両スライダ９８と共に上昇し、これらの下端が背板８２の下方の短辺部８２ａと同じ高さ位置に至る（図９）。
【００３５】
揚重装置１２の使用時、下方の階１４ｂにおいて一の荷受台２８に前記荷を積み込み、両ヘッドプーリ２０を回転駆動することにより、搬送具２６を介して、一の荷受台２８を上下両階１４ａ、１４ｂ間における一又は複数の階１４の開口１６及び上方の階１４ａの開口１６を通して上昇させ、上方の階１４ａに到達させることができる。両ヘッドプーリ２０の回転駆動を停止する間に、上方の階１４ａに到達した荷受台２８から前記荷を下ろすことができる。また、空になった一の荷受台２８はこれを折り畳み状態にしたのち、両ヘッドプーリ２０を再び回転駆動することにより、搬送具２６を介して下方の階１４ｂへと下降させ（図７参照）、下方の階１４ｂへの到達後、両ヘッドプーリ２０の回転駆動を停止し、一の荷受台２８に再び前記荷を積み込むことができる。この間、例えば、一の荷受台２８が上方の階１４ａに到達したとき、他の荷受台２８が下方の階１４ｂにあって、これに前記荷を積み込むことができるようにすることができる。
【００３６】
上方の階１４ａにおいて空にされた荷受台２８は、その幅寸法が両ヘッドプーリ２０の相互間隔より小さいことから、両ヘッドプーリ２０間を通過するとき、桟棒８０の周りの揺動が許容される。このため、荷受台２８はこれが上昇から下降に転じるとき、桟棒８０に対して揺動し、両ヘッドプーリ２０相互間を姿勢を維持しながら通過する。
【００３７】
また、荷受台２８の荷受板８６と両側板８８とを背板８２に向けて折り畳み、これにより荷受台２８を扁平な形態とすることにより、図７に示すように、上方の階１４ａから下方の階１４ｂへと下降される空の荷受台２８が通過する各階の仮の開口１６に占める厚さ寸法（開口１６の両側壁１６ｂ間における厚さ寸法）の割合をより小さく、かつ、下方の階１４ｂから上方の階１４ａへと上昇される荷受台２８が占める厚さ寸法の割合をより大きいものとすることができる。このため、荷受台２８の前記荷の積み込み容量をより大きいものとすることができる。
【００３８】
揚重装置１２は、上方の階１４ａへの前記荷の搬送を終えた後、上方の階１４ａの一つ上の階と、下方の階１４ｂの一つ上の階とに設置し直し、再使用に供することができる。再使用の便に供するため、揚重装置１２の第１のスタンド１８が、両テールプーリ２４から外されかつ両ヘッドプーリ２０に掛けられた状態にある搬送具２６の一部すなわち両索状物７８の一部と複数の桟棒８０の一部又は全部とを一時的に格納するための格納具１０６を備えるものとすることができる（図１０）。
【００３９】
図示の格納具１０６は、第１のスタンド１８の両脚３０の連結部材３２に互いに間隔をおいて解除可能に取り付けられた一対の受け部材１０８からなる。両受け部材１０８はそれぞれ一対のヨーク形の先端部１１０を有する。各先端部１１０は、Ｖ字形に伸びる長短２つの伸長部分１１０ａ、１１０ｂを有する。長い両伸長部分１１０ａは、それぞれ、両ヘッドプーリ２０から垂れ下がる両索状物７８間において、両索状物７８の下降側（リターン側）と交差している。このことから、両ヘッドプーリ２０を回転駆動することにより上昇から下降に転じた複数の桟棒８０を長い両伸長部分１１０ａにおいて順次に受け止め、長短２つの伸長部分１１０ａ、１１０ｂ間に留め置くことができる。他方、両索状物７８の前記下降側の部分は、留め置かれた複数の桟棒８０から垂れ下がった状態におかれる。また、複数の荷受台２８について、その一つを上昇側（キャリア側）に位置する桟棒８０に引掛け、この荷受台２８の背板８２に他の荷受台２８を、さらに他の荷受台２８を他の荷受台２８の背板８２に順次に引掛けることにより、複数の荷受台２８を第１のスタンド１８に保持することができる。
【００４０】
さらに、前記第１のスタンド１８は、その両脚３０にそれぞれ取り付けられた二対の車輪１１２を有するものとすることができる。これによれば、搬送具２６が両ヘッドプーリ２０に掛けられかつその一部が格納具１０６に格納され、さらに複数の荷受台２８が保持された状態にある第１のスタンド１８を、さらに同じ階の他の開口（吹き抜け）へと走行させて移動することができる。第２のスタンド２２については、これを構成する基部材５２、細長部材５４、Ｌ形部材５６を互いに分離した状態で移動することができる。
【符号の説明】
【００４１】
１０  建物
１２  揚重装置
１４  階
１６  仮の開口
１８  第１のスタンド
２０  ヘッドプーリ
２２  第２のスタンド
２４  テールプーリ
２６  搬送具
２８  荷受台
３４  駆動機構
６６  ラック
６８  ピニオン
７８  索状物
８０  桟棒
８２  背板
８４  フック
８６  荷受板
８８  側板
９０  棒体
１０６  格納具
１１２  車輪
【図１】
2018154985.tif 000003
【図２】
2018154985.tif 000004
【図３】
2018154985.tif 000005
【図４】
2018154985.tif 000006
【図５】
2018154985.tif 000007
【図６】
2018154985.tif 000008
【図７】
2018154985.tif 000009
【図８】
2018154985.tif 000010
【図９】
2018154985.tif 000011
【図１０】
2018154985.tif 000012